(57)【要約】      （修正有）【課題】光電技術分野に関し、特に展示ライトボックスを提供する。【解決手段】フレーム１、ＬＥＤテープライト２を備え、フレームは、第１型材、第２型材、コーナー接続部材及び係着部材を備え、第２型材の内側には、ＬＥＤテープライトが設置され、複数のＬＥＤテープライト同士は、スプリング装填ピンオス・メスコネクタユニットを介して電気的に接続され、以下の利点及び効果を有する。コーナー接続部材及び係着部材が設置されることによって、第２型材が挿入接続する過程において第１弾性シート又は第２弾性シートにより固定され、且つ該挿入接続においてＬＥＤテープライト同士がスプリング装填ピンオス・メスコネクタユニットを介して電気的に接続され、その結果、フレームの組み立てが容易になり、ＬＥＤテープライトが容易に電気的に接続できる。【選択図】図１
0003224875.tif 000002
【実用新案登録請求の範囲】
【請求項１】
フレーム（１）、フレーム（１）の内側に設置された複数のＬＥＤテープライト（２）を備える展示ライトボックスであって、
前記フレーム（１）は、第１型材（１１）、第２型材（１２）、コーナー接続部材（１３）及び係着部材（１４）を備え、前記第１型材（１１）は、２つ設置され、かつフレーム（１）の上下両側に位置し、前記第２型材（１２）は、４つ設置され、且つフレーム（１）の左右両側に２つずつ分布し、前記コーナー接続部材（１３）は、第１型材（１１）と第２型材（１２）の接合部位に設置され、前記係着部材（１４）は、同一側における２つの第２型材（１２）の接合部位に設置され、前記第２型材（１２）の内側には、前記ＬＥＤテープライト（２）が設置され、
前記コーナー接続部材（１３）は、第１接続部材本体（１３１）を備え、前記第１接続部材本体（１３１）の側面には、内部へ窪んで且つ第１接続部材本体（１３１）の長さ方向に沿って延在している第１係合溝（１３２）が開けられ、前記第１係合溝（１３２）には、第１係合溝（１３２）から突出した第１弾性シート（１３３）が設置され、隣接する２つの前記第１型材（１１）と第２型材（１２）を接続するとき、第１弾性シート（１３３）が設置された前記第１接続部材本体（１３１）の一端は、第２型材（１２）に挿入接続され、且つ前記第１弾性シート（１３３）は、第２型材（１２）において第１接続部材本体（１３１）が挿入接続するための挿入接続溝の内壁に当接し、前記第１接続部材本体（１３１）の他端は、第１型材（１１）に挿入接続して固定され、
前記係着部材（１４）は、第２接続部材本体（１４１）を備え、前記第２接続部材本体（１４１）の側面には、内部へ窪んで且つ第２接続部材本体（１４１）の長さ方向に沿って延在している第２係合溝（１４２）が開けられ、前記第２係合溝（１４２）には、第２係合溝（１４２）から突出した第２弾性シート（１４３）が設置され、隣接する２つの前記第２型材（１２）を接続するとき、第２弾性シート（１４３）が設置された前記第２接続部材本体（１４１）の一端は、上方の第２型材（１２）に挿入接続され、且つ前記第２弾性シート（１４３）は、第２型材（１２）において第２接続部材本体（１４１）が挿入接続するための挿入接続溝の内壁に当接し、前記第２接続部材本体（１４１）の他端は、下方の第２型材（１２）に挿入接続して固定され、
複数の前記ＬＥＤテープライト（２）同士は、スプリング装填ピンオス・メスコネクタユニットを介して電気的に接続され、前記スプリング装填ピンオス・メスコネクタユニットは、第１型材（１１）の両端と隣接する第２型材（１２）のＬＥＤテープライト（２）との間に位置し、且つ第１接続部材本体（１３１）の第１弾性シート（１３３）に近い一端が挿入接続されると電気的に接続される第１スプリング装填ピンオス・メスコネクタ（３１）と、同一側における２つの前記第２型材（１２）のＬＥＤテープライト（２）の間に位置し、且つ第２接続部材本体（１４１）の第２弾性シート（１４３）に近い一端が挿入接続されると電気的に接続される第２スプリング装填ピンオス・メスコネクタ（３２）とを備える、ことを特徴とする展示ライトボックス。
【請求項２】
前記第１スプリング装填ピンオス・メスコネクタ（３１）は、第１型材（１１）の端部に設置された第１スプリング装填ピンオス部（３１１）と、ＬＥＤテープライト（２）に電気的に接続するように設置された第１スプリング装填ピンメス部（３１２）とを備え、前記第１スプリング装填ピンオス部（３１１）は、電源アダプタを介して外部電源に接続され、前記第１接続部材本体（１３１）の第１弾性シート（１３３）に近い一端が挿入接続されると、前記第１スプリング装填ピンオス部（３１１）と第１スプリング装填ピンメス部（３１２）は、電気的に接続される、ことを特徴とする請求項１に記載の展示ライトボックス。
【請求項３】
前記第２スプリング装填ピンオス・メスコネクタ（３２）は、下方の第２型材（１２）のＬＥＤテープライト（２）の上端に電気的に接続するように設置された第２スプリング装填ピンオス部（３２１）と、上方の第２型材（１２）のＬＥＤテープライト（２）の下端に電気的に接続するように設置された第２スプリング装填ピンメス部（３２２）とを備え、前記第２接続部材本体（１４１）の第２弾性シート（１４３）に近い一端が挿入接続されると、前記第２スプリング装填ピンオス部（３２１）と第２スプリング装填ピンメス部（３２２）は、電気的に接続される、ことを特徴とする請求項１に記載の展示ライトボックス。
【請求項４】
前記第１弾性シート（１３３）は、Ｖ形状に凸起するようにステンレス鋼板を折り曲げて第１係合溝（１３２）から突出させたものであり、前記第２弾性シート（１４３）は、Ｖ形状に凸起するようにステンレス鋼板を折り曲げて第２係合溝（１４２）から突出させたものである、ことを特徴とする請求項１に記載の展示ライトボックス。
【請求項５】
前記第１接続部材本体（１３１）の第１弾性シート（１３３）から離れた一端には、直角接続ベース（１３４）が固定され、且つ、前記第１接続部材本体（１３１）は、直角接続ベース（１３４）の１つの直角面に位置し、前記直角接続ベース（１３４）の別の直角面には、第１接続部材本体（１３１）に垂直となり且つ第１型材（１１）に挿入接続するための固定ブロック（１３５）が固定され、前記固定ブロック（１３５）は、第１型材（１１）の挿入接続溝の内壁と締り嵌めする、ことを特徴とする請求項１に記載の展示ライトボックス。
【請求項６】
前記直角接続ベース（１３４）における第１接続部材本体（１３１）及び固定ブロック（１３５）は、いずれも複数設置されている、ことを特徴とする請求項５に記載の展示ライトボックス。
【請求項７】
前記第２接続部材本体（１４１）の第２弾性シート（１４３）から離れた一端は、第２型材（１２）の挿入接続溝の内壁と締り嵌めし、隣接する２つの前記第２型材（１２）の間には、複数の前記係着部材（１４）が設置されている、ことを特徴とする請求項１に記載の展示ライトボックス。
【考案の詳細な説明】
【技術分野】
【０００１】
本考案は、光電技術分野に関し、特に展示ライトボックスに関する。
【背景技術】
【０００２】
展示ライトボックスは、展示画面をボックスの表面に置いて、ボックスの内部に光源を設置し、光源で展示画面を照明することによって、広告としての効果を果たすものである。
【０００３】
現在、出願公告番号ＣＮ１０９４７３０４９Ａ、出願公布日２０１９年３月１５日の中国特許において、枠部を構成する型材、及び枠部の内側に設けられるＬＥＤテープライトを備え、さらにコーナー接続部材及び係着部材を備え、枠部の各コーナー部が２本の型材を交差して組み立ててなり、型材は、左右に対称的であり且つ中央部から両側へ第１キャビティ、第２キャビティ及び嵌設溝が順次設置され、コーナー接続部材の一端が固定端であり、他端が係着端であり、係着端には、係着口が設置され、コーナー接続部材の固定端及び係着端の形状がすべて第１キャビティの形状に合わせており、コーナー接続部材の固定端が、コーナーにおける一方の型材の第１キャビティに挿入接続して固定され、係着部材は、コーナーにおける他方の型材に固定して接続され、コーナーにおける２本の型材が一体に組み立てられたとき、コーナー接続部材の係着端がコーナーにおける他方の型材の第１キャビティに挿入接続され、係着部材が係着口に係着して固定される展示ライトボックスが開示されている。
【０００４】
上記展示ライトボックスでは、枠部の内側に設けられたＬＥＤテープライト同士、ＬＥＤテープライトと電源アダプタの間は、すべてＤＣソケット、ＤＣプラグの突合わせラインを介して接続され、このため、ＬＥＤテープライトの電気的接続が操作されにくいという問題が生じる。また、コーナー接続部材及び係着部材により固定されるとき、コーナー接続部材と型材、係着部材と型材がボルトで固定されるため、型材を取り付ける効率が低下するという問題がある。
【考案の概要】
【考案が解決しようとする課題】
【０００５】
本考案の目的は、フレームの組み立てが容易になり、ＬＥＤテープライトが容易に電気的に接続できるという効果を有する展示ライトボックスを提供することである。
【課題を解決するための手段】
【０００６】
本考案の上記技術的目的は、以下の技術案によって実現される。展示ライトボックスであって、フレーム、フレームの内側に設置された複数のＬＥＤテープライトを備え、前記フレームは、第１型材、第２型材、コーナー接続部材及び係着部材を備え、前記第１型材は、２つ設置され、且つフレームの上下両側に位置し、前記第２型材は、４つ設置され、且つフレームの左右両側に２つずつ分布し、前記コーナー接続部材は、第１型材と第２型材の接合部位に設置され、前記係着部材は、同一側における２つの第２型材の接合部位に設置され、前記第２型材の内側には、前記ＬＥＤテープライトが設置され、
前記コーナー接続部材は、第１接続部材本体を備え、前記第１接続部材本体の側面には、内部へ窪んで且つ第１接続部材本体の長さ方向に沿って延在している第１係合溝が開けられ、前記第１係合溝には、第１係合溝から突出した第１弾性シートが設置され、隣接する２つの前記第１型材と第２型材を接続するとき、第１弾性シートが設置された前記第１接続部材本体の一端は、第２型材に挿入接続され、且つ前記第１弾性シートは、第２型材において第１接続部材本体が挿入接続するための挿入接続溝の内壁に当接し、前記第１接続部材本体の他端は、第１型材に挿入接続して固定され、
前記係着部材は、第２接続部材本体を備え、前記第２接続部材本体の側面には、内部へ窪んで且つ第２接続部材本体の長さ方向に沿って延在している第２係合溝が開けられ、前記第２係合溝には、第２係合溝から突出した第２弾性シートが設置され、隣接する２つの前記第２型材を接続するとき、第２弾性シートが設置された前記第２接続部材本体の一端は、上方の第２型材に挿入接続され、且つ前記第２弾性シートは、第２型材において第２接続部材本体が挿入接続するための挿入接続溝の内壁に当接し、前記第２接続部材本体の他端は、下方の第２型材に挿入接続して固定され、
複数の前記ＬＥＤテープライト同士は、スプリング装填ピンオス・メスコネクタユニットを介して電気的に接続され、前記スプリング装填ピンオス・メスコネクタユニットは、第１型材の両端と隣接する第２型材のＬＥＤテープライトとの間に位置し、且つ第１接続部材本体の第１弾性シートに近い一端が挿入接続されると電気的に接続される第１スプリング装填ピンオス・メスコネクタと、同一側における２つの前記第２型材のＬＥＤテープライトの間に位置し、且つ第２接続部材本体の第２弾性シートに近い一端が挿入接続されると電気的に接続される第２スプリング装填ピンオス・メスコネクタとを備える。
【０００７】
本考案のさらなる構成として、前記第１スプリング装填ピンオス・メスコネクタは、第１型材の端部に設置された第１スプリング装填ピンオス部と、ＬＥＤテープライトに電気的に接続するように設置された第１スプリング装填ピンメス部とを備え、前記第１スプリング装填ピンオス部は、電源アダプタを介して外部電源に接続され、前記第１接続部材本体の第１弾性シートに近い一端が挿入接続されると、前記第１スプリング装填ピンオス部と第１スプリング装填ピンメス部は、電気的に接続される。
【０００８】
本考案のさらなる構成として、前記第２スプリング装填ピンオス・メスコネクタは、下方の第２型材のＬＥＤテープライトの上端に電気的に接続するように設置された第２スプリング装填ピンオス部と、上方の第２型材のＬＥＤテープライトの下端に電気的に接続するように設置された第２スプリング装填ピンメス部とを備え、前記第２接続部材本体の第２弾性シートに近い一端が挿入接続されると、前記第２スプリング装填ピンオス部と第２スプリング装填ピンメス部は、電気的に接続される。
【０００９】
本考案のさらなる構成として、前記第１弾性シートは、Ｖ形状に凸起するようにステンレス鋼板を折り曲げて第１係合溝から突出させたものであり、前記第２弾性シートは、Ｖ形状に凸起するようにステンレス鋼板を折り曲げて第２係合溝から突出させたものである。
【００１０】
本考案のさらなる構成として、前記第１接続部材本体の第１弾性シートから離れた一端には、直角接続ベースが固定され、且つ前記第１接続部材本体は、直角接続ベースの１つの直角面に位置し、前記直角接続ベースの別の直角面には、第１接続部材本体に垂直となり且つ第１型材に挿入接続するための固定ブロックが固定され、前記固定ブロックは、第１型材の挿入接続溝の内壁と締り嵌めする。
【００１１】
本考案のさらなる構成として、前記直角接続ベースにおける第１接続部材本体及び固定ブロックは、いずれも複数設置されている。
【００１２】
本考案のさらなる構成として、前記第２接続部材本体の第２弾性シートから離れた一端は、第２型材の挿入接続溝の内壁と締り嵌めし、隣接する２つの前記第２型材の間には、複数の前記係着部材が設置されている。
【考案の効果】
【００１３】
前記のとおり、本考案は、以下の有益な効果を有する。
１、フレームを組み立てるとき、及びＬＥＤテープライトを電気的に接続するときに、まず、コーナー接続部材の一端を第１型材に固定し、係着部材の一端を下方の第２型材に固定し、次に、第２型材を第１型材に挿入接続する際に、コーナー接続部材における第１弾性シートが第２型材の挿入接続溝に当接することで固定し、この過程において、下方の第２型材におけるＬＥＤテープライトが第１スプリング装填ピンオス・メスコネクタを介して電気的に接続される。次に、上方の第２型材を下方の第２型材に挿入接続するときに、係着部材における第２弾性シートが上方の第２型材の挿入接続溝に当接することで固定し、この過程において、隣接する２つの第２型材におけるＬＥＤテープライトが第２スプリング装填ピンオス・メスコネクタを介して電気的に接続される。最後に、上方の第１型材を第２型材に取り付け、コーナー接続部材における第１弾性シートが第２型材の挿入接続溝に当接することで固定する。それによって、フレームの組み立てが容易になり、ＬＥＤテープライトが容易に電気的に接続できるという効果を奏する。
２、第１弾性シートは、Ｖ形状に凸起するようにステンレス鋼板を折り曲げて第１係合溝から突出させたものであり、第２弾性シートは、Ｖ形状に凸起するようにステンレス鋼板を折り曲げて第２係合溝から突出させたものであり、それによって、第１弾性シート、第２弾性シートは、第２型材の挿入接続溝に挿入接続されるときに力を受けて変形し第２型材の挿入接続溝の内壁に当接する。
３、直角接続ベースにおける第１接続部材本体及び固定ブロックが複数設置されることによって、第１型材、第２型材の接続後の構造安定性及び強度を高め、また、隣接する２つの第２型材の間には複数の係着部材が設置されることによって、２つの第２型材の接続後の構造安定性及び強度を高める。
【図面の簡単な説明】
【００１４】
【図１】本考案の構造模式図である。
【図２】本考案の構造爆発図である。
【図３】図２におけるＡ部分の部分拡大図である。
【図４】コーナー接続部材の構造模式図である。
【図５】図２におけるＢ部分の部分拡大図である。
【図６】係着部材の構造模式図である。
【考案を実施するための形態】
【００１５】
以下、図面を参照しながら、本考案についてさらに詳細に説明する。
【００１６】
実施例１
展示ライトボックスは、図１及び図２に示すように、フレーム１、フレーム１の内側に設置された複数のＬＥＤテープライト２を備える。フレーム１は、第１型材１１、第２型材１２、コーナー接続部材１３及び係着部材１４を備え、第１型材１１は、２つ設置され、且つフレーム１の上下両側に位置し、第２型材１２は、４つ設置され、且つフレーム１の左右両側に２つずつ分布し、コーナー接続部材１３は、第１型材１１と第２型材１２との接合部位に設置され、係着部材１４は、同一側における２つの第２型材１２の接合部位に設置され、第２型材１２の内側には、すべてＬＥＤテープライト２が固定して設置される。
【００１７】
図２〜図４に示すように、コーナー接続部材１３は、第１接続部材本体１３１を備える。第１接続部材本体１３１の側面には、内部へ窪んで且つ第１接続部材本体１３１の長さ方向に沿って延在している第１係合溝１３２が開けられ、第１係合溝１３２には、第１係合溝１３２から突出した第１弾性シート１３３が固定して設置され、且つ第１弾性シート１３３は、２つ設置され、第１弾性シート１３３は、Ｖ形状に凸起するようにステンレス鋼板を折り曲げて第１係合溝１３２から突出させたものである。また、第１接続部材本体１３１の第１弾性シート１３３から離れた一端には、直角接続ベース１３４が固定して設置され、且つ第１接続部材本体１３１は、直角接続ベース１３４の１つの直角面に位置し、直角接続ベース１３４の別の直角面には、第１接続部材本体１３１と垂直になり且つ第１型材１１に挿入接続するための固定ブロック１３５が固定される。また、第１直角接続ベース１３４には、２つの第１接続部材本体１３１及び２つの固定ブロック１３５が固定して設置される。
【００１８】
図２〜図４に示すように、隣接する２つの第１型材１１と第２型材１２を接続するとき、第１弾性シート１３３が設置された第１接続部材本体１３１の一端は、第２型材１２に挿入接続され、且つ第１弾性シート１３３は、第２型材１２において第１接続部材本体１３１が挿入接続するための挿入接続溝の内壁に当接し、固定ブロック１３５は、第１型材１１の挿入接続溝の内壁と締り嵌めすることで固定して接続されるか、ネジで固定される。
【００１９】
図２、図５及び図６に示すように、係着部材１４は、第２接続部材本体１４１を備える。第２接続部材本体１４１の側面には、内部へ窪んで且つ第２接続部材本体１４１の長さ方向に沿って延在している第２係合溝１４２が開けられ、第２係合溝１４２には、第２係合溝１４２から突出した第２弾性シート１４３が設置され、第２弾性シート１４３は、Ｖ形状に凸起するようにステンレス鋼板を折り曲げて第２係合溝１４２から突出させたものであり、且つ第２弾性シート１４３は、２つ設置される。隣接する２つの第２型材１２を接続するとき、第２弾性シート１４３が設置された第２接続部材本体１４１の一端は、上方の第２型材１２に挿入接続され、且つ第２弾性シート１４３は、第２型材１２において第２接続部材本体１４１が挿入接続するための挿入接続溝の内壁に当接し、第２接続部材本体１４１の他端は、下方の第２型材１２に挿入接続して固定される。第２接続部材本体１４１の第２弾性シート１４３から離れた一端は、第２型材１２の挿入接続溝の内壁と締り嵌めするか、ネジで固定される。また、隣接する２つの第２型材１２の間には、２つの係着部材１４が設置される。
【００２０】
図２、図３及び図５に示すように、複数のＬＥＤテープライト２同士は、スプリング装填ピンオス・メスコネクタユニットを介して電気的に接続され、スプリング装填ピンオス・メスコネクタユニットは、第１型材１１の両端と隣接する第２型材１２のＬＥＤテープライト２との間に位置し、且つ第１接続部材本体１３１の第１弾性シート１３３に近い一端が挿入接続されると電気的に接続される第１スプリング装填ピンオス・メスコネクタ３１と、同一側における２つの第２型材１２のＬＥＤテープライト２の間に位置し且つ第２接続部材本体１４１の第２弾性シート１４３に近い一端が挿入接続されると電気的に接続される第２スプリング装填ピンオス・メスコネクタ３２とを備える。
【００２１】
第１スプリング装填ピンオス・メスコネクタ３１は、第１型材１１の端部に設置された第１スプリング装填ピンオス部３１１と、ＬＥＤテープライト２に電気的に接続するように設置された第１スプリング装填ピンメス部３１２とを備え、第１スプリング装填ピンオス部３１１は、電源アダプタを介して外部電源に接続され、第１接続部材本体１３１の第１弾性シート１３３に近い一端が挿入接続されると、第１スプリング装填ピンオス部３１１と第１スプリング装填ピンメス部３１２は、電気的に接続される。第２スプリング装填ピンオス・メスコネクタ３２は、下方の第２型材１２のＬＥＤテープライト２の上端に電気的に接続するように設置された第２スプリング装填ピンオス部３２１と、上方の第２型材１２のＬＥＤテープライト２の下端に電気的に接続するように設置された第２スプリング装填ピンメス部３２２とを備え、第２接続部材本体１４１の第２弾性シート１４３に近い一端が挿入接続されると、第２スプリング装填ピンオス部３２１と第２スプリング装填ピンメス部３２２は、電気的に接続される。
【００２２】
実施の効果
フレーム１を組み立てるとき、及びＬＥＤテープライト２を電気的に接続するときに、まず、コーナー接続部材１３の一端を第１型材１１に固定し、係着部材１４の一端を下方の第２型材１２に固定する。次に、第２型材１２を第１型材１１に挿入接続するときに、コーナー接続部材１３における第１弾性シート１３３が第２型材１２の挿入接続溝に当接することで固定し、この過程において、下方の第２型材１２におけるＬＥＤテープライト２が第１スプリング装填ピンオス・メスコネクタ３１を介して電気的に接続される。次に、上方の第２型材１２を下方の第２型材１２に挿入接続するときに、係着部材１４における第２弾性シート１４３が上方の第２型材１２の挿入接続溝に当接することで固定され、この過程において、隣接する２つの第２型材１２におけるＬＥＤテープライト２が第２スプリング装填ピンオス・メスコネクタ３２を介して電気的に接続される。最後に、上方の第１型材１１を第２型材１２に取り付けるとき、コーナー接続部材１３における第１弾性シート１３３が第２型材１２の挿入接続溝に当接することで固定する。それによって、フレーム１の組み立てが容易になり、ＬＥＤテープライト２が容易に電気的に接続できるという効果を奏する。
【００２３】
第１弾性シート１３３は、Ｖ形状に凸起するようにステンレス鋼板を折り曲げて第１係合溝１３２から突出させたものであり、第２弾性シート１４３は、Ｖ形状に凸起するようにステンレス鋼板を折り曲げて第２係合溝１４２から突出させたものであり、それによって、第１弾性シート１３３、第２弾性シート１４３は、第２型材１２の挿入接続溝に挿入接続されるときに力を受けて変形し第２型材１２の挿入接続溝の内壁に当接する。直角接続ベース１３４における第１接続部材本体及び固定ブロック１３５が複数設置されることによって、第１型材１１、第２型材１２の接続後の構造安定性及び強度を高め、また、隣接する２つの第２型材１２の間には複数の係着部材１４が設置されることによって、２つの第２型材１２の接続後の構造安定性及び強度を高める。
【００２４】
本特定実施例は、本考案を説明するものに過ぎず、本考案を制限するものではなく、当業者であれば、本明細書を読んだ上、必要に応じて本実施例について進歩性のある貢献がない修正を行うことができるが、本考案の実用新案登録請求の範囲から逸脱しない限り、実用新案法により保護される。
【符号の説明】
【００２５】
１、フレーム
１１、第１型材
１２、第２型材
１３、コーナー接続部材
１３１、第１接続部材本体
１３２、第１係合溝
１３３、第１弾性シート
１３４、直角接続ベース
１３５、固定ブロック
１４、係着部材
１４１、第２接続部材本体
１４２、第２係合溝
１４３、第２弾性シート
２、テープライト
３１、第１スプリング装填ピンオス・メスコネクタ
３１１、第１スプリング装填ピンオス部
３１２、第１スプリング装填ピンメス部
３２、第２スプリング装填ピンオス・メスコネクタ
３２１、第２スプリング装填ピンオス部
３２２、第２スプリング装填ピンメス部
【図１】
0003224875.tif 000003
【図２】
0003224875.tif 000004
【図３】
0003224875.tif 000005
【図４】
0003224875.tif 000006
【図５】
0003224875.tif 000007
【図６】
0003224875.tif 000008